(57)【要約】【課題】開閉側端部の浮きを防止して読み取り不良や原稿ジャムの発生を抑制可能な原稿搬送装置を簡便且つ低コストで提供する。【解決手段】原稿搬送装置４はヒンジ部５を介して画像読取部２の一端に開閉可能に支持されており、原稿押さえ部２８の裏面には押圧部材６が付設されている。押圧部材６は原稿マット４０と、この原稿マット４０と原稿押さえ部２８との間に配置される圧縮可能な弾性部材４１ａ〜４１ｃから構成されており、弾性部材４１ａ〜４１ｃは原稿押さえ部２８の裏面の取り付け部２８ａ〜２８ｃに貼り付け固定される。弾性部材４１ａ〜４１ｃは、ヒンジ部５に最も近い側に位置する弾性部材４１ａが最も厚く、ヒンジ部５から遠ざかるにつれて弾性部材４１ｂ、４１ｃの順に薄くなっている。【選択図】図３
2008152185.tif 000002
【特許請求の範囲】
【請求項１】
画像読取部の上部に設けられた原稿載置面に対向する原稿押さえ部と、該原稿押さえ部の裏面に設けられた弾性を有する圧縮可能な押圧部材と、を備え、ヒンジ部を介して前記画像読取部の一端に開閉自在に支持される原稿搬送装置において、
前記押圧部材の圧縮量及び弾性率のうち少なくとも一方を、前記ヒンジ部に近い側から遠い側に向かって段階的に小さくしたことを特徴とする原稿搬送装置。
【請求項２】
前記押圧部材の表面は、前記原稿押さえ部に対し前記ヒンジ部に近い側から遠い側に向かって下り勾配を有することを特徴とする請求項１に記載の原稿搬送装置。
【請求項３】
前記押圧部材は、前記原稿載置面に載置された原稿を覆い押さえる原稿マットと、該原稿マットと前記原稿押さえ部との間に配置される弾性部材とから構成されており、前記弾性部材の厚さを、前記ヒンジ部から遠ざかるにつれて薄くしたことを特徴とする請求項２に記載の原稿搬送装置。
【請求項４】
前記押圧部材は、前記原稿載置面に載置された原稿を覆い押さえる原稿マットと、該原稿マットと前記原稿押さえ部との間に配置される弾性部材とから構成されており、前記原稿押さえ部の前記弾性部材が配置される部分の高さを、前記ヒンジ部から遠ざかるにつれて低くしたことを特徴とする請求項２に記載の原稿搬送装置。
【発明の詳細な説明】
【技術分野】
【０００１】
本発明は、電子写真方式を用いたファクシミリや複写機等の画像形成装置の原稿押さえ装置に関し、特に原稿の載置位置のずれ防止に関するものである。
【背景技術】
【０００２】
従来、画像読取部と画像形成部とを備えた画像形成装置においては、複数のサイズの原稿を読み取り、読み取った画像をそれぞれ適したサイズの用紙に複写して出力する。このような画像形成装置の画像読取部の構成を図１０に示す。同図において、画像形成装置１００の本体上部には画像読取部２が配置され、画像読取部２の上部、即ち画像形成装置１の本体上面（原稿台）には、原稿を載置する原稿載置面としてのコンタクトガラス３が設けられている。
【０００３】
コンタクトガラス３の上方には、複数の原稿を順次コンタクトガラス３に搬送する原稿搬送装置４が設けられており、画像読取部２の奥側端部に付設されたヒンジ部５を介して画像形成装置１００の本体上面に開閉可能に支持されている。原稿搬送装置４の裏面には、コンタクトガラス３上に載置された原稿の略全面を覆い押さえる押圧部材６が設けられている。押圧部材６は、通常、シート状の硬質プラスチックの裏面にスポンジ等の弾性材料が配置された構成であり、原稿搬送装置４の荷重により圧縮されてコンタクトガラス３上の原稿を確実に保持する。即ち、原稿搬送装置４はコンタクトガラス３上に載置された原稿を押さえて所定位置に保持する原稿押さえ装置としても機能する。
【０００４】
そして、コンタクトガラス３上に載置された原稿或いは原稿搬送装置４より搬送される原稿を画像読取部２において読み取り、読み取った原稿画像を図示しない画像形成部において用紙上に出力する。８はユーザが装置の機能や印刷条件等の設定を行う操作キーであり、９は設定条件や装置の状態等を表示する表示部である。
【０００５】
また、コンタクトガラス３の左上端部に原稿を突き当てて位置決めを行う機種の場合、図１０に示すように、載置される原稿のサイズや位置を指示する原稿指示目盛り１０ａ、１０ｂが、通常コンタクトガラス３の奥側及び左側の２箇所に設けられている。そして、原稿指示目盛り１０ａ、１０ｂを用いて原稿を所定位置に載置した後、原稿搬送装置４を閉じることにより押圧部材６で原稿を保持し、操作キー８を操作して画像形成処理を行う。一方、原稿搬送装置４により複数枚のシート原稿を順次搬送する場合は、原稿を原稿搬送装置４にセットした後、操作キー８を操作して画像形成処理を行う。
【０００６】
しかし、図１０に示したように原稿搬送装置が原稿押さえ装置を兼ねている場合、ヒンジ部（回動支点）に近い装置奥側では押圧部材を十分に圧縮できる力が作用するが、ヒンジ部から遠くなるにつれて押圧部材を圧縮する力が減少する。そのため、ヒンジ部から遠い装置前側（開閉側端部）においては押圧部材の弾性力によって原稿搬送装置がコンタクトガラスから浮き気味となり、コンタクトガラスに対して水平に配置できないという現象があった。
【０００７】
この現象により、原稿搬送時にジャムが発生したり、画像読取位置で原稿画像を正確に読み取れず、直角度不良等の読み取り不良が発生したりするおそれがあった。特に、原稿搬送装置の開閉を補助する付勢手段を備えたヒンジ部を用いた場合、原稿搬送装置を完全に閉じた状態では開放方向に付勢力が作用しているため、コンタクトガラスからの原稿搬送装置の浮きも顕著となる。
【０００８】
コンタクトガラス上に載置されている原稿の配置位置のずれを防止する方法については種々の提案があり、例えば特許文献１には、原稿を押さえる弾性部材の中央部の厚みを最大として、周辺部に向かって順次薄くなるように形成し、弾性部材を点接触から徐々に面接触へと変化させながら原稿を押圧することにより、原稿押さえ時の原稿のずれを防止するとともに、面接触から徐々に点接触へと変化させながら原稿から離間することにより、原稿押さえ板を開放する時の原稿の巻き上げを防止する方法が開示されている。
【０００９】
また、特許文献２には、原稿押さえ装置本体の内側に、一端が伸縮手段に支持され、他端には装置本体と同方向に回動可能な取付部材が装着された軟質シートを設けることにより、コンタクトガラス上の原稿を端部から徐々に押さえていくことで原稿のずれを防止する原稿画像読み取り装置が開示されている。しかしながら、特許文献１、２の方法では、上述したような原稿搬送装置の開閉側端部の浮きを防止することはできなかった。
【特許文献１】特開平５−２７３３９号公報
【特許文献２】特開平８−６１７６号公報
【発明の開示】
【発明が解決しようとする課題】
【００１０】
本発明は、上記問題点に鑑み、開閉側端部の浮きを防止して読み取り不良や原稿ジャムの発生を抑制可能な原稿搬送装置を簡便且つ低コストで提供することを目的とする。
【課題を解決するための手段】
【００１１】
上記目的を達成するために本発明は、画像読取部の上部に設けられた原稿載置面に対向する原稿押さえ部と、該原稿押さえ部の裏面に設けられた弾性を有する圧縮可能な押圧部材と、を備え、ヒンジ部を介して前記画像読取部の一端に開閉自在に支持される原稿搬送装置において、前記押圧部材の圧縮量及び弾性率のうち少なくとも一方を、前記ヒンジ部に近い側から遠い側に向かって段階的に小さくしたことを特徴としている。
【００１２】
また本発明は、上記構成の原稿搬送装置において、前記押圧部材の表面は、前記原稿押さえ部に対し前記ヒンジ部に近い側から遠い側に向かって下り勾配を有することを特徴としている。
【００１３】
また本発明は、上記構成の原稿搬送装置において、前記押圧部材は、前記原稿載置面に載置された原稿を覆い押さえる原稿マットと、該原稿マットと前記原稿押さえ部との間に配置される弾性部材とから構成されており、前記弾性部材の厚さを、前記ヒンジ部から遠ざかるにつれて薄くしたことを特徴としている。
【００１４】
また本発明は、上記構成の原稿搬送装置において、前記押圧部材は、前記原稿載置面に載置された原稿を覆い押さえる原稿マットと、該原稿マットと前記原稿押さえ部との間に配置される弾性部材とから構成されており、前記原稿押さえ部の前記弾性部材が配置される部分の高さを、前記ヒンジ部から遠ざかるにつれて低くしたことを特徴としている。
【発明の効果】
【００１５】
本発明の第１の構成によれば、原稿搬送装置を閉じたときに圧縮力が十分に作用するヒンジ部に近い側から圧縮力が徐々に小さくなる遠い側に向かって、押圧部材の圧縮量及び弾性率の少なくとも一方も段階的に小さくなるため、原稿搬送装置の開閉端側が押圧部材の弾性力により浮き気味になることなく水平に支持される。
【００１６】
また、本発明の第２の構成によれば、上記第１の構成の原稿搬送装置において、押圧部材の表面を、原稿押さえ部に対しヒンジ部に近い側から遠い側に向かって下り勾配とすることにより、押圧部材に作用する圧縮力の変化に応じて押圧部材の表面の勾配を調整するだけで、原稿搬送装置を閉じたときの押圧部材の厚みを均等化させて原稿搬送装置を水平に支持することができる。
【００１７】
また、本発明の第３の構成によれば、上記第２の構成の原稿搬送装置において、原稿を覆い押さえる原稿マットと弾性部材とで押圧部材を構成するとともに、弾性部材の厚さをヒンジ部から遠ざかるにつれて薄くすることにより、弾性部材の厚みを可変させるだけで押圧部材の表面の勾配を容易に調整可能となる。
【００１８】
また、本発明の第４の構成によれば、上記第２の構成の原稿搬送装置において、原稿を覆い押さえる原稿マットと弾性部材とで押圧部材を構成するとともに、弾性部材を取り付ける位置の高さをヒンジ部から遠ざかるにつれて低くすることにより、同一形状の弾性部材を用いて押圧部材の表面の勾配を容易に調整可能となる。
【発明を実施するための最良の形態】
【００１９】
以下、図面を参照しながら本発明の実施形態について説明する。図１は、本発明の原稿搬送装置の内部構造を示す正面断面図である。従来例の図１０と共通する部分には同一の符号を付して説明を省略する。図１において、原稿搬送装置４は、大きくは、供給される原稿を整合して積載する原稿ガイド２９ａを備えた原稿給紙トレイ２９と、画像読取部２の上面の原稿載置台２５における画像読取位置Ｒの上方に位置し、原稿給紙トレイ２９が突設された原稿カバー３０と、この原稿カバー３０の側方で原稿押さえ部２８の上面の一部に直付けで形成された原稿排出トレイ３１とから成り、原稿給紙トレイ２９から原稿カバー３０内を経て原稿排出トレイ３１に至る原稿搬送路ｄが形成されている。
【００２０】
原稿カバー３０内には、原稿搬送路ｄに沿って上流側から順に、ピックアップローラ３２、搬送ローラ対３３、レジストローラ対３４、及び排出ローラ対３５から成る原稿搬送手段が設けられている。これらのうちで搬送ローラ対３３は、駆動ローラ３３ａと分離ローラ３３ｂとから構成されていて、分離ローラ３３ｂは回転負荷が所定トルクを下回る場合のみ駆動ローラ３３ａと逆方向に回転し、回転負荷が所定トルクを上回る場合には駆動ローラ３３ａと従動回転するようになっている。
【００２１】
レジストローラ対３４と排出ローラ対３５の間には、原稿載置台２５における画像読取位置Ｒに対向して表出したシェーディング補正用の白基準板３６と、白基準板３６の背後にあって白基準板３６を画像読取位置Ｒに向けて押圧するための原稿押圧部３６ａとが設けられている。なお、原稿搬送路ｄは搬送ローラ対３３から画像読取位置Ｒに至る間において反転するように湾曲している。
【００２２】
また、原稿搬送路ｄには、原稿の存否を検知するための複数のセンサが適所に設けられている。例えば、原稿給紙トレイ２９の中央部には原稿検知センサＳ１が、搬送ローラ対３３の下流側には給紙センサＳ２が、排出ローラ対３５の下流側には排出センサＳ３が、それぞれ設けられている。
【００２３】
次に、図１を用いて、原稿押さえ部２８を閉じたままで原稿搬送装置４によって原稿を自動的に搬送して読み取る、シートスルー方式による原稿搬送動作について説明する。シートスルー方式の原稿搬送動作においては、先ず、原稿給紙トレイ２９に画像面を上向きにセットされた複数枚の原稿は、ばね部材によって上向きに付勢されたセット原稿押さえ部材３７により、所定の圧力でピックアップローラ３２に押しつけられる。ここで操作キー８（図１０参照）のコピー開始ボタンがオンされると、１次給紙駆動手段（不図示）により、ピックアップローラ３２及び搬送ローラ対３３が回転駆動される。
【００２４】
原稿給紙トレイ２９にセットされた原稿は、ピックアップローラ３２によって通常上段の複数枚が搬送ローラ対３３に送られる。搬送ローラ対３３に送られた複数枚の原稿は、分離ローラ３３ｂにより最上の１枚のみが分離されてレジストローラ対３４に向けて搬送される。その際、その原稿の先端が給紙センサＳ２によって検出されてから所定の距離だけその原稿が搬送された後、１次給紙駆動手段の作動停止によって搬送ローラ対３３の駆動ローラ３３ａ及びピックアップローラ３２の回転駆動が停止され１次給紙が終了する。その１次給紙の原稿は、その先端がレジストローラ対３４のニップ部に押圧され、且つその先端部に撓みが形成された状態で停止させられる。
【００２５】
１次給紙が終了してから所定時間経過後、２次給紙が開始される。つまり、２次給紙駆動手段（不図示）の作動により、レジストローラ対３４が回転駆動される。原稿は、レジストローラ対３４により、画像読取位置Ｒを経て排出ローラ対３５に向けて搬送された後、最終的には排出ローラ対３５によって原稿排紙トレイ３１上に排出される。その際、排出センサＳ３により原稿の後端通過を検知したことによって、原稿１枚の画像読み取りの完了を検出するようになっている。
【００２６】
ここで排出センサＳ３は、原稿の給紙搬送完了毎に原稿枚数を計数するカウント機能を有しており、原稿検知センサＳ１が後続の原稿を検知していれば、２枚目以降の原稿搬送が上記と同様に続行される。なお、原稿は、画像読取位置Ｒを通過する際に、白基準板３６と原稿押圧部３６ａによって原稿載置台２５に向けて軽く押圧されながら搬送され、その原稿の画像が画像読取位置Ｒを通じて読み取られるようになっている。
【００２７】
図２は、本発明の第１実施形態の原稿搬送装置を開放した状態を示す斜視図であり、図３は、図２の左側から見た状態を示す側面図である。図１及び従来例の図１０と共通する部分には同一の符号を付して説明を省略する。なお、図３では原稿押さえ部２８から押圧部材６を取り外した状態を示している。
【００２８】
図２及び図３に示すように、原稿搬送装置４はヒンジ部５を介して画像読取部２の一端（ここでは装置奥側）に開閉可能に支持されており、原稿押さえ部２８の裏面には押圧部材６が付設されている。ヒンジ部５には、原稿搬送装置４の開閉動作を補助するバネ機構（図示せず）が設けられており、原稿搬送装置４を閉じた状態（図６参照）では開方向に付勢力が作用するようになっている。
【００２９】
原稿載置台２５の中央にはコンタクトガラス３が配置されており、コンタクトガラス３の左端には画像読取位置Ｒが設けられている。シートスルー方式では、画像読取部２内の図示しない読取機構（光学系）が走査移動することなく画像読取位置Ｒに保持されたまま原稿の読取動作が行われる。また、図３に示すように、押圧部材６は白色の原稿マット４０と、この原稿マット４０と原稿押さえ部２８との間に配置される圧縮可能な弾性部材４１ａ〜４１ｃとから構成されており、原稿マット４０は弾性部材４１ａ〜４１ｃを介して原稿押さえ部２８の裏面の取り付け部２８ａ〜２８ｃに貼り付け固定される。
【００３０】
図４は押圧部材を原稿押さえ部側（裏面側）から見た斜視図であり、図５は押圧部材を図４の矢印Ａ方向から見た側面図である。図４及び図５に示すように、原稿マット４０の裏面６箇所には、高さの異なる３種類の支柱状の弾性部材４１ａ〜４１ｃが一対ずつ３列に固定されている。弾性部材４１ａ〜４１ｃは、ヒンジ部５に最も近い側（図４の下側）に位置する弾性部材４１ａが最も厚く、ヒンジ部５から遠ざかるにつれて弾性部材４１ｂ、４１ｃの順に薄くなっている。
【００３１】
この構成により、押圧部材６の表面（原稿マット４０）は、原稿押さえ部２８の裏面に対しヒンジ部５に近い側から遠い側に向かって下り勾配を有することになる。ヒンジ部５に近い弾性部材４１ａには圧縮力が十分に作用するため弾性部材４１ａは強く圧縮されて薄くなる。一方、ヒンジ部５から遠い弾性部材４１ｂ、弾性部材４１ｃに作用する圧縮力は徐々に小さくなるが、弾性部材４１ｂ及び弾性部材４１ｃの厚みは段階的に薄くなっているため、弾性部材４１ａ〜４１ｃの圧縮度合い（圧縮量）は段階的に小さくなる。その結果、原稿搬送装置４を閉じたときに弾性部材４１ａ〜４１ｃの厚みが均等となり、図６のように原稿搬送装置４を閉鎖したときに、原稿搬送装置４は原稿載置台２５上において装置の前後方向（図６の紙面方向）に傾斜することなく水平に支持される。
【００３２】
従って、原稿搬送装置４の開閉端側がコンタクトガラス３から浮き気味とならず、シートスルー方式における画像読取位置Ｒでの原稿の読み取り不良を効果的に防止するとともに原稿搬送時のジャムの発生も低減される。また、押圧部材６は装置の奥側（ヒンジ部５側）から前側に亘ってコンタクトガラス３上の原稿を確実に押さえるため、原稿をコンタクトガラス３上に載置して読み取る場合の原稿の浮きやずれも防止可能となる。
【００３３】
弾性部材４１ａ〜４１ｃの材質としては、原稿搬送装置４の閉動作により圧縮可能な材質であれば特に制限はなく、スポンジやウレタン、軟質ゴム等が挙げられる。また、弾性部材４１ａ〜４１ｃの厚みの差は、原稿搬送装置４の重量やヒンジ部５に設けられたバネ機構の付勢力等により適宜調整すれば良い。
【００３４】
また、ここでは原稿マット４０と原稿押さえ部２８との間に支柱状の弾性部材４１ａ〜４１ｃを設けているが、例えば図７に示すように、断面テーパ状の押圧部材６を、ヒンジ部５に近い側から遠い側に向かって徐々に厚みが薄くなるように原稿押さえ部２８の裏面全域に配置しても良い。なお、押圧部材６の表面は、原稿領域外がハーフトーン状に印刷される現象を防止するために、画像読取部２から照射された走査光を効率良く反射する白色としておく必要がある。そのため、十分な光反射性能を有する白色の弾性材料を用いる場合は、図７のように押圧部材６を一体形成可能である。また、弾性材料の光反射性能が十分でない場合は、図７の構成に加えて白色の原稿マット４０を積層すれば良い。
【００３５】
図８は、本発明の第２実施形態の原稿搬送装置を開放した状態を示す左側面図である。なお、図８では第１実施形態の図３と同様に原稿押さえ部２８から押圧部材６を取り外した状態を示しており、図３と共通する部分には同一の符号を付して説明を省略する。本実施形態においては、弾性部材４１ａ〜４１ｃは全て同じ厚みであり、弾性部材４１ａ〜４１ｃを取り付ける取り付け部２８ａ〜２８ｃの高さが、ヒンジ部５に最も近い取り付け部２８ａが最も高く、取り付け部２８ｂ、２８ｃの順に段階的に低くなっている。
【００３６】
この構成により、第１実施形態と同様に、押圧部材６の表面（原稿マット４０）は原稿押さえ部２８に対しヒンジ部５に近い側から遠い側に向かって下り勾配を有することになる。従って、ヒンジ部５からの距離が遠くなるにつれて弾性部材４１ａ〜４１ｃの圧縮量が段階的に小さくなるため、原稿搬送装置４を閉じたときに原稿搬送装置４は原稿載置台２５上において水平に保持される。その結果、シートスルー方式における画像読取位置Ｒでの原稿の読み取り不良やジャムの発生を効果的に抑制できるとともに、コンタクトガラス３上の原稿の浮きやずれも防止可能となる。
【００３７】
また、同一形状の弾性部材４１ａ〜４１ｃを使用できるため、部品点数を削減できるとともに、押圧部材６の組み立て時に弾性部材４１ａ〜４１ｃを誤った位置に固定するおそれもなくなる。なお、原稿押さえ部２８の断面がヒンジ部５に近い側から遠い側に向かって薄くなるように原稿押さえ部２８の裏面を傾斜面として、厚みの均一な押圧部材６を、図７のように原稿押さえ部２８の裏面全域に配置しても良い。
【００３８】
上述した第１、第２実施形態では、押圧部材６の表面が原稿押さえ部２８に対しヒンジ部５に近い側から遠い側に向かって下り勾配となるようにして押圧部材６の圧縮量を調整する方法について説明したが、本発明は、原稿搬送装置４の開閉端側の浮きを防止するために、押圧部材６の弾性率（弾性限度内の一定荷重の圧縮応力／弾性体のひずみ量）をヒンジ部に近い側から遠い側に向かって段階的に小さくする構成を用いることもできる。
【００３９】
図９は、本発明の第３実施形態の原稿搬送装置を開放した状態を示す左側面図である。第１及び第２実施形態の図３、図８と共通する部分には同一の符号を付して説明を省略する。本実施形態においては、弾性部材４１ａ〜４１ｃとして圧縮バネを用いており、圧縮バネの自然長は同一として、バネ材の太さを弾性部材４１ａ、４１ｂ、４１ｃの順に細くしている。
【００４０】
この構成により、ヒンジ部５に近い側から遠い側に向かって圧縮バネの弾性率を段階的に小さくすることができ、第１、第２実施形態と同様に、原稿搬送装置４を閉鎖したとき原稿載置台２５上に水平に支持することができる。また、弾性部材４１ａ〜４１ｃの自然長が同一であるため、原稿搬送装置４が開放状態にあるときの押圧部材６の厚みが均一となり、原稿搬送装置４の見栄えも良くなる。
【００４１】
その他本発明は、上記各実施形態に限定されず、本発明の趣旨を逸脱しない範囲で種々の変更が可能である。例えば、第３実施形態において、圧縮バネの代わりに弾性率の異なる材質で形成された厚みの等しい弾性部材４１ａ〜４１ｃを用いても良い。また、弾性部材４１ａ〜４１ｃとしてバネ材の太さが等しく自然長の異なる圧縮バネを用いることにより、第１、第２実施形態と同様に押圧部材６の表面をヒンジ部５に近い側から遠い側に向かって傾斜させても良いし、バネ材の太さ及び自然長の両方が異なる圧縮バネを用いることにより、押圧部材６の圧縮量及び弾性率の両方を、ヒンジ部５に近い側から遠い側に向かって段階的に小さくしても良い。
【００４２】
さらに、原稿搬送装置４の開閉を補助するバネ機構を持たないヒンジ部５を用いる場合でも、ヒンジ部５から遠ざかるにつれて押圧部材６の圧縮力は若干小さくなるため、同様に本発明が適用できるのはもちろんである。
【産業上の利用可能性】
【００４３】
本発明は、画像読取部の上部に設けられた原稿載置面に対向する原稿押さえ部と、該原稿押さえ部の裏面に設けられた弾性を有する圧縮可能な押圧部材と、を備え、ヒンジ部を介して画像読取部の一端に開閉自在に支持される原稿搬送装置において、押圧部材の圧縮量及び弾性率のうち少なくとも一方を、ヒンジ部に近い側から遠い側に向かって段階的に小さくしたものである。
【００４４】
これにより、原稿搬送装置を閉じたときに原稿搬送装置の開閉端側が押圧部材の弾性力により浮き気味になることなく水平に支持されるため、原稿搬送時のジャム、或いは直角度不良等の読み取り不良が発生し難く、原稿載置面の原稿の浮きやずれも抑制可能な原稿搬送装置を提供することができる。
【００４５】
また、原稿押さえ部に対しヒンジ部に近い側から遠い側に向かって押圧部材の表面を下り勾配としたので、押圧部材の表面の勾配を所定角度に調整するという簡単な構成で原稿搬送装置を水平に支持することができる。特に、原稿を覆い押さえる原稿マットと弾性部材とで押圧部材を構成する場合、弾性部材の厚さをヒンジ部から遠ざかるにつれて薄くする方法や、弾性部材の取り付け位置の高さをヒンジ部から遠ざかるにつれて低くする方法を用いることにより、原稿搬送時のジャムや読み取り不良を抑制可能な原稿搬送装置を簡便且つ低コストで提供することができる。
【図面の簡単な説明】
【００４６】
【図１】は、本発明の原稿搬送装置の内部構造を示す正面断面図である。
【図２】は、本発明の第１実施形態の原稿搬送装置を開放した状態を示す斜視図である。
【図３】は、第１実施形態の原稿搬送装置を開放した状態を示す左側面図である。
【図４】は、第１実施形態の原稿搬送装置に用いる押圧部材を原稿押さえ部側から見た斜視図である。
【図５】は、押圧部材を図４の矢印Ａ方向から見た側面図である。
【図６】は、第１実施形態の原稿搬送装置を閉鎖した状態を示す正面図である。
【図７】は、第１実施形態の原稿搬送装置において、他の構成の押圧部材を用いた例を示す側面図である。
【図８】は、本発明の第２実施形態の原稿搬送装置を開放した状態を示す左側面図である。
【図９】は、本発明の第３実施形態の原稿搬送装置を開放した状態を示す左側面図である。
【図１０】は、従来の画像形成装置の画像読取部周辺の構成を示す斜視図である。
【符号の説明】
【００４７】
２                画像読取部
３                コンタクトガラス（原稿載置面）
４                原稿搬送装置
５                ヒンジ部
６                押圧部材
２５              原稿載置台
２８              原稿押さえ部
２８ａ〜２８ｃ    取り付け部
２９              原稿給紙トレイ
３１              原稿排出トレイ
４０              原稿マット
４１ａ〜４１ｃ    弾性部材
１００            画像形成装置
【図１】
2008152185.tif 000003
【図２】
2008152185.tif 000004
【図３】
2008152185.tif 000005
【図４】
2008152185.tif 000006
【図５】
2008152185.tif 000007
【図６】
2008152185.tif 000008
【図７】
2008152185.tif 000009
【図８】
2008152185.tif 000010
【図９】
2008152185.tif 000011
【図１０】
2008152185.tif 000012